(57)【特許請求の範囲】
【請求項１】
主幹ブレーカと分岐ブレーカとを配列し、電流制限器と一次送り回路を搭載して成る分電盤における、前記一次送り回路へ送るために設けられる一次送り端子台であって、前記分電盤に引き込まれた電線を接続する入力端子と、前記電流制限器へ接続するための出力端子と、前記主幹ブレーカへ接続するための主幹ブレーカ用端子とを備えると共に、前記電流制限器の二次側と接続する電流制限器用端子部を設け、前記端子台の二次側には、一次送り回路用ブレーカと、時間帯別電灯契約機器用ブレーカとをそれぞれ接続可能であることを特徴とする一次送り端子台。
【請求項２】
前記端子台であって、前記一次送り回路用ブレーカと時間帯別電灯契約機器用ブレーカとを前記主幹ブレーカと前記電流制限器との間に配置可能であることを特徴とする請求項１に記載の一次送り端子台。
【発明の詳細な説明】
【技術分野】
【０００１】
本発明は、主幹ブレーカと分岐ブレーカとを配列し、電流制限器と一次送り回路を搭載して成る分電盤における、一次送り回路へ送るために設けられる一次送り端子台に関するものである。
【背景技術】
【０００２】
分電盤３１の機器配置は、最左に電流制限器３２、電流制限器３２の右側に主幹ブレーカ３３、さらに右側に複数の分岐ブレーカ３４が取り付けられ、最右にはその他の機器を取り付けられるようにフリースペース３５が設けられる。
【０００３】
例えば、分電盤３１の回路に一次送り回路や時間帯別電灯契約回路が組み込まれる場合がある。従来、一次送り回路用ブレーカ３６は、電流制限器の二次側に接続するために、通常の回路の分岐ブレーカ３４と同じ配列に組み込んでいた。また時間帯別電灯契約回路用ブレーカ３７は電流制限器の一次側に接続するために、一次送り回路用ブレーカ３６とは別に、端子台３８と共に、フリースペース３５に取り付けられていた。
【特許文献１】特開２００１−１５７３２２号公報
【発明の開示】
【発明が解決しようとする課題】
【０００４】
しかしながら、上記のように一次送り回路用ブレーカと時間帯別電灯契約回路用ブレーカとを住宅用分電盤に組み込んだ場合、一次送り回路用ブレーカは分岐ブレーカの列に配置されると、分岐ブレーカの取り付け数が減少し、分岐回路数を確保するためには、分電盤の筺体を大きなものにしなくてはならなかった。分電盤の筺体が増大するということは、筺体の価格も上がり、分電盤の価格を上げてしまうことになる。また、筺体が大きくなると取り付けスペースも限定されてしまうという欠点がある。
【０００５】
また、一次送り回路用ブレーカや時間帯別電灯契約回路用ブレーカを住宅用分電盤に組み込む場合、取り付けスペースを特別に確保しなくてはならず、住宅用分電盤が大型になってしまっていた。一次送り回路用ブレーカや時間帯別電灯契約回路用ブレーカが、フリースペースに取り付けられた場合、フリースペースから電流制限器まで、分岐ブレーカの配線スペースを横切って配線しなくてはならず、電線も長く必要であると共に、整線が手間であった。
【課題を解決するための手段】
【０００６】
そこで本発明は、分電盤の小型化を目指した一次送り端子台を提供することを目的とし、その構造は、分電盤に引き込まれた電線を接続する入力端子と、電流制限器へ接続するための出力端子と、主幹ブレーカへ接続するための主幹ブレーカ用端子とを備えると共に、電流制限器の二次側と接続する電流制限器用端子部を設け、端子台の二次側には、一次送り回路用ブレーカと、時間帯別電灯契約機器用ブレーカとをそれぞれ接続可能であることを特徴とする。
【０００７】
また、一次送り回路用ブレーカと時間帯別電灯契約機器用ブレーカとを主幹ブレーカと電流制限器との間に配置可能であることを特徴とする。
【発明の効果】
【０００８】
本発明に係る時間帯別端子台は、分電盤に引き込まれた電線を接続する入力端子と、電流制限器へ接続するための出力端子と、主幹ブレーカへ接続するための主幹ブレーカ用端子とを備えると共に、電流制限器の二次側と接続する電流制限器用端子部を設け、端子台の二次側には、一次送り回路用ブレーカと、時間帯別電灯契約機器用ブレーカとをそれぞれ接続可能であるため、筺体も増大させず、分岐回路数を減らすことなく、分電盤を提供できる。分電盤の性能を落とさず小型化を図ることができる。
【０００９】
配線に関しても、従来フリースペースに取り付けられていた一次回路や一次送り用ブレーカと電流制限器との間の長い距離を電線で接続しなくてはならなかったが、電流制限器と一次送り回路、一次送り用ブレーカとの距離が短いので作業も楽であり、電線も短くてすむ。総じて分電盤を安価に提供することができる。
【００１０】
また、一次送り回路用ブレーカと時間帯別電灯契約機器用ブレーカとを主幹ブレーカと電流制限器との間に配置可能であるため、筺体も増大させず、分岐回路数を減らすことなく、分電盤を提供できる。分電盤の性能を落とさず小型化を図ることができる。
【００１１】
配線に関しても、従来フリースペースに取り付けられていた一次回路や一次送り用ブレーカと電流制限器との間の長い距離を電線で接続しなくてはならなかったが、電流制限器と一次送り回路、一次送り用ブレーカとの距離が短いので作業も楽であり、電線も短くてすむ。総じて分電盤を安価に提供することができる。
【発明を実施するための最良の形態】
【００１２】
本発明に係る一次送り端子台の実施例を図１〜図５の添付図面に基いて説明する。
【００１３】
本発明に係る一次送り端子台１が用いられる分電盤２には、主幹ブレーカ３と分岐ブレーカ４、一次送り回路用ブレーカ５と、時間帯別電灯契約回路用のブレーカ６と、電流制限器７が搭載される。一次送り回路用ブレーカ５や、時間帯別電灯契約回路用ブレーカ６は分岐ブレーカ４と同じ寸法で形成され、従来は、分岐ブレーカ４と並列したり、分電盤に設けられたフリースペースに配置したりしていた。
【００１４】
ところが、一次送り回路用ブレーカ５は電流制限器７の二次側、主幹ブレーカ３の一次側に接続されるが、時間帯別電灯契約回路用ブレーカ６は電流制限器７の一次側、主幹ブレーカ３に対しても一次側に接続されるものである。本発明は、接続場所の異なる二種類のブレーカを並列して配置できる一次送り端子台１を提供する。
【００１５】
本発明に係る時間帯別端子台は、分電盤に引き込まれた電線を接続する入力端子と、電流制限器へ接続するための出力端子と、主幹ブレーカへ接続するための主幹ブレーカ用端子とを備えると共に、電流制限器の二次側と接続する電流制限器用端子部を設け、端子台の二次側には、一次送り回路用ブレーカと、時間帯別電灯契約機器用ブレーカとをそれぞれ接続可能である。
【００１６】
一次送り端子台１は、第一の入力端子８と、第一の出力端子９と、第二の入力端子１０と、第二の出力端子１１と、第三の出力端子１２と、第四の出力端子１３とで構成される。
【００１７】
第一の入力端子８は、分電盤２に引き込まれた電源線がまず接続される端子である。第一の入力端子８のそれぞれの相を構成する導体と同一の導体上に、電流制限器７と接続される第一の出力端子９と、電流制限器７を介さず用いられる時間帯別電灯契約回路用ブレーカ６と接続される第三の出力端子１２とが設けられる。
【００１８】
一次送り端子台１には、さらに、電流制限器７と接続される第二の入力端子１０が設けられ、この第二の入力端子１０のそれぞれの相を構成する導体と同一の導体上に、主幹ブレーカ３と接続される第二の出力端子１１と、一次送り回路用ブレーカ５と接続される第四の出力端子１３とが設けられる。
【００１９】
以上述べたとおり、一つの端子台１に、それぞれ目的の異なる回路のブレーカへの接続が可能となる端子を設ける。分電盤２外部から引き込まれた電源線は、一次送り端子台１の第一の入力端子８を介して、電流制限器７へとつながる。電流制限器７からは、第二の入力端子１０を介して、電流制限器７の二次側に配置される一次送り回路用ブレーカ５へとつながる。一方、電流制限器７の下部回路とならない、時間帯別電灯契約回路用ブレーカ６は、第一の入力端子８と同一の導体上の第三の出力端子１２と接続する。
【００２０】
本発明に係る一次送り回路用端子台１を用いた分電盤２では、上記述べたように配置し、主幹ブレーカ３の下部回路用ブレーカとしての分岐ブレーカ４が、配列される。従来のように、分岐ブレーカ４の配列場所に一次送り回路用ブレーカ５を取り付ける必要もなく、十分に分岐ブレーカ４を配列するスペースを確保できる。
【００２１】
請求項２に係る一次送り回路用端子台１は、一次送り回路用ブレーカと時間帯別電灯契約機器用ブレーカとを主幹ブレーカと電流制限器との間に配置可能である。つまり、第三の出力端子１２と第四の出力端子１３を、電流制限器７と主幹ブレーカ３との間に位置させ、一次送り回路用ブレーカ５と時間帯別電灯契約回路用ブレーカ６とを電流制限器７と主幹ブレーカ３との間に並列されるものである。
【００２２】
電流制限器７と主幹ブレーカ３との間に一次送り回路用ブレーカ５と時間帯別電灯契約回路用ブレーカ６とを並列させることで、限られた分電盤２のスペースを有効に利用でき、省スペース化も図れ、さらに、配線作業についても、離れた場所へ電線を延長する必要もなく、近いところに配置された機器間で配線することができ、作業性を向上させることができる。
【図面の簡単な説明】
【００２３】
【図１】本発明に係る一次送り端子台を搭載した分電盤を示す正面図である。
【図２】本発明に係る一次送り端子台に主幹ブレーカを接続した状態を示す正面図である。
【図３】本発明に係る一次送り端子台を示す正面図である。
【図４】図３における一次送り端子台の導体を示す斜視図である。
【図５】図４における一次送り端子台を示す斜視図である。
【図６】従来の分電盤の機器配置を示す正面図である。
【符号の説明】
【００２４】
１    一次送り端子台
２    分電盤
３    主幹ブレーカ
４    分岐ブレーカ
５    一次送り回路用ブレーカ
６    時間帯別電灯契約回路用ブレーカ
７    電流制限器
８    第一の入力端子
９    第一の出力端子
１０  第二の入力端子
１１  第二の出力端子
１２  第三の出力端子
１３  第四の出力端子
【図１】
0005084033.tif 000002
【図２】
0005084033.tif 000003
【図３】
0005084033.tif 000004
【図４】
0005084033.tif 000005
【図５】
0005084033.tif 000006
【図６】
0005084033.tif 000007